【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
長手軸の周りを回転するように設置された面板と、
前記長手軸の周りを第１の方向で前記面板を駆動するための駆動機構と、
管状構造体内に形成される前に、ストリップ材料を所定の直径に塑性変形するために前記面板の上に設置される直径画定ローラと
を備える、らせん形に巻かれたストリップの管状構造体を形成するための装置。
【請求項２】
前記面板と共に回転し、ストリップ材料が所定の直径に形成される前に、ストリップ材料に断面形状を形成するために設置される成形ローラ組立体を含む、請求項１に記載の装置。
【請求項３】
１つまたは複数の前記成形ローラが従動ローラである、請求項１に記載の装置。
【請求項４】
前記直径画定ローラが、ローラ間の位置関係によって定義される曲率半径を採るために、いずれかのストリップ材料も前記ローラ間を進むように、前記ローラの１つが他の２つに対して調整可能である３つの相互に向き合うローラを含む、請求項２に記載の装置。
【請求項５】
前記直径画定ローラが、それぞれ固有の長手軸の周りを回転可能であり、この間を材料のストリップが通過することができる一組のピンチローラと、第２の軸の周りを回転することによって第１ピンチローラに対して調整可能なリングローラとを含む、請求項１に記載の装置。
【請求項６】
前記第２ピンチローラに対して効果的に調節するために、前記リングローラに接続される作動装置を含む、請求項５に記載の装置。
【請求項７】
前記リングローラによる曲率半径を採るようになされる際に、いずれのストリップに対しても及ぼされる形成力が反発される反作用ローラを含む、請求項１に記載の装置。
【請求項８】
ピンチローラに対して前記反作用ローラの軸方向の位置を変えるために第２の作動装置を含む、請求項７に記載の装置。
【請求項９】
前記ピンチローラの一方を他のピンチローラに対して効果的に軸方向に調整するために作動装置を含む、請求項１に記載の装置。
【請求項１０】
１つまたは複数の前記直径画定ローラを駆動するための駆動手段を含む、請求項１に記載の装置。
【請求項１１】
前記第２ピンチローラに対して効果的に調節するために、前記リングローラに接続された作動装置と、前記ローラまたは複数のローラの位置関係を調整するために前記作動装置または複数の作動装置に結合されたコンピュータとを含む、請求項５に記載の装置。
【請求項１２】
前記第２ピンチローラに対して効果的に調節するために、前記リングローラに接続された作動装置と、前記第２ピンチローラに対して効果的に調節するために、前記リングローラに接続された作動装置とを含み、さらに前記ローラまたは複数のローラの位置関係を調整するために前記作動装置または複数の作動装置に結合されたコンピュータを含み、さらに、前記コンピュータが、所定のプログラムに従って前記ローラまたは複数のローラを制御するようにプログラムされたコンピュータを備える、請求項５に記載の装置。
【請求項１３】
前記面板の上に設置され、前記面板と同軸に配置された固定ギアによって駆動され、前記直径画定ローラを駆動するために前記直径画定ローラに係合される第１ギア組立体を含む、請求項１に記載の装置。
【請求項１４】
前記面板の上に設置され、前記面板と同軸に配置された固定ギアによって駆動され、前記ローラを駆動するために前記形成ローラに係合される第２ギア組立体をさらに含む、請求項１３に記載の装置。
【請求項１５】
前記面板を前記第１の方向に駆動するための主要駆動部材を含む、請求項１に記載の装置。
【請求項１６】
前記主要駆動部材が、前記面板上で対応するギア部に係合される従動ギアを備える、請求項１５に記載の装置。
【請求項１７】
管状構造体内に形成されるストリップ材料のストックの供給物を支持するためにストック支持体をさらに含む、請求項１に記載の装置。
【請求項１８】
前記ストック支持体が、その外径上で前記面板の周囲に延在する外周上に延在するカセットを備える、請求項１７に記載の装置。
【請求項１９】
前記ストック支持体が、その外径上で前記面板の周囲に延在する外周上に延在するカセットを備え、前記カセットが、長手軸の周りで外周上に離間する複数の支持ローラを備え、これがストリップストックの供給物の一部と協働し、前記ストックが前記軸の周りを回転することができる、請求項１７に記載の装置。
【請求項２０】
前記ストック支持体が、その外径上で前記面板の周囲に延在する外周上に延在するカセットを備え、前記カセットが、長手軸の周りで外周上に離間する複数の支持ローラを備え、これがストリップストックの供給物の一部と協働し、前記ストックが前記軸の周りを回転することが可能であり、前記支持ローラが、前記組立体の非回転部分に固定されるスピンドルの周りを回転するように設置される、請求項１７に記載の装置。
【請求項２１】
前記形成ローラが、前記長手軸に沿って互い違いに配置され、前記軸に対する前記ローラの回転軸が、前記ストリップがその供給源から前記直径画定ローラへ進む際の前記ストリップのねじれ角によって変化する、請求項１に記載の装置。
【請求項２２】
ストリップ材料の供給物をその貯蔵所から前記形成ローラに誘導するために第１ストリップ供給ガイドローラを含む、請求項１に記載の装置。
【請求項２３】
形成されたストリップの供給物を前記直径画定ローラから形成される管状部材の内径まで誘導するために第２ストリップ供給ローラを含む、請求項１に記載の装置。
【請求項２４】
前記直径形成ローラを通り過ぎた後、任意のストリップの少なくとも一部の上に接着剤を塗布するための接着剤塗布具を含む、請求項１に記載の装置。
【請求項２５】
前記接着剤塗布具が、接着ストリップのロールを蓄積するための接着剤蓄積カセットを備える、請求項２４に記載の装置。
【請求項２６】
前記接着剤塗布具が、接着ストリップのロールを蓄積するための接着剤蓄積カセットを備え、前記接着剤蓄積カセットが、それと共に回転するために前記面板の上に設置され、その周りに接着ストリップの供給物を配置することができ、前記管状構造体形成ストリップに前記接着ストリップが塗布されると回転するスピンドルを含む、請求項２４に記載の装置。
【請求項２７】
前記接着剤塗布具が、接着ストリップのロールを蓄積するための接着剤蓄積カセットを備え、前記装置がさらに、前記接着ストリップが管状構造体形成ストリップに付加される前に、前記接着ストリップ上のいかなる保護裏当ても除去するための裏当て除去機構を含む、請求項２４に記載の装置。
【請求項２８】
前記面板が、最終管状構造体を形成するために前記管状形成ストリップを上に巻き付けることができるコアライナを受けるための中央穴を含む、請求項１に記載の装置。
【請求項２９】
前記コアライナを受けるために前記中央穴を画定する中空の中央部を有する中央支持トラニオンを含む、請求項２８に記載の装置。
【請求項３０】
前記コアライナを受けるために前記中央穴を画定する中空の中央部を有する中央支持トラニオンを含み、前記支持トラニオンが非回転式であり、前記ローラを駆動する前記固定ギアを上に形成するギアを含む、請求項２８に記載の装置。
【請求項３１】
前記装置が支持トラニオンを含み、前記面板が前記支持トラニオン上で回転するように設置される、請求項２８に記載の装置。
【請求項３２】
前記面板が、管状構造体内に形成される平坦なストリップ材料の供給物を受けるために収容ステーションを含む、請求項１に記載の装置。
【請求項３３】
前記収容ステーションが、前記カセットの直径に対応する直径を有するリングを備え、これにより前記カセットからの材料が消耗されると、その間へ容易にストリップ材料を送達する、請求項３２に記載の装置。
【請求項３４】
前記ステーションが回転する際、前記収容ステーションにストリップ材料を供給するための供給手段を含み、これにより前記カセット上の材料が消耗される前に、前記収容ステーション上に前記ストリップ材料を巻きつける、請求項３２に記載の装置。
【請求項３５】
請求項１に記載の装置上に作成される管状構造体。
【請求項３６】
塑性変形によって材料のストリップがらせん形態に曲げるように、長手軸の周りを回転するように設置される面板に取り付けられた直径画定ローラによって材料のストリップを供給するステップと、前記曲げられたストリップを自己重複式に管状構造体内に巻きつけるステップとを含み、前記ストリップが、形成される構造体の最終半径より小さい曲率半径の前記らせん形態に曲げられる、管状構造体を形成する方法。
【請求項３７】
前記ストリップが前記所望される曲率半径を採るように、一組のピンチローラ、および前記ピンチローラの１つに対して調整可能なリングローラの間を通過するステップを含む、請求項３６に記載の方法。
【請求項３８】
前記ストリップが一組のピンチローラの間を通過するステップを含み、前記ストリップがその長さに沿った曲げ部を得るようにし、これにより前記ストリップに側部の曲げを与え、一端が他端より長い縁部を有するストリップを形成するために、前記ピンチローラの回転軸が互いに対してずらされる、請求項３６に記載の方法。
【請求項３９】
管状構造体内に形成される際、前記ストリップの重複する部分に接着剤を塗布するステップを含む、請求項３６に記載の方法。
【請求項４０】
前記接着剤が、材料の前記ストリップに接着剤のストリップとして接着剤を塗布することによって塗布される、請求項３６に記載の方法。
【請求項４１】
前記接着ストリップの少なくとも１つの面に保護コーティングを塗布することによって前記接着ストリップを保護し、前記管状構造体を形成する前記ストリップ上に前記接着剤を塗布する前に、前記保護コーティングを除去するステップを含む、請求項３９に記載の方法。
【請求項４２】
内部コア、およびらせん形に巻かれた材料の外部ケーシングを有する管状構造体を形成するために、管状コアを設け、前記コアの上に前記ストリップを巻きつけるステップを含む、請求項３６に記載の方法。
【請求項４３】
材料のストリップをその長さに沿ってロール形成し、当接する長手方向の縁部を継ぎ目溶接することによって、前記管状コアを形成するステップを含む、請求項４２に記載の方法。
【請求項４４】
一連の別々の長さの管として前記管状コアを形成し、前記コアの上に前記ストリップ材料を巻き付ける前に、それらを連続したまたはほぼ連続した長さに組み立てるステップを含む、請求項４２に記載の方法。
【請求項４５】
前記管状コアを一定の長さのプラスチック材料が押出成形されたパイプとして形成するステップを含む、請求項４２に記載の方法。
【請求項４６】
前記コアを別々の長さのセラミック管として設けるステップを含む、請求項４２に記載の方法。
【請求項４７】
請求項３６に記載の方法によって形成された管状構造体。
【請求項４８】
実質的に添付の図面を参照して本明細書に記載される、または図面中に示される管状構造体を形成する方法。
【請求項４９】
実質的に本明細書に記載され、実質的に本明細書に記載される装置上で行われる管状構造体を形成する方法。